(57)【特許請求の範囲】
【請求項１】
０．６ｍｍの厚みを有する透明な第一のディスクを備え、前記第一のディスクは平坦な第一の表面と前記第一の表面の反対側にある第二の表面とを有し、前記第二の表面はこの第二の表面から前記第一の表面への距離の局部的変化によって記録された第一の情報を有し；且つ
０．７ｍｍの厚みを有する第二のディスクを備え、前記第二のディスクは互いに対向する平坦な第三と第四の表面を有し、さらに前記第二のディスクは前記第一のディスクに重ね合わせて固定されその結果前記第四の表面が前記第二の表面に接面する情報記録媒体。
【請求項２】
前記第二の表面上に前記第一のディスクの裏側へ通過した第一の光を反射するための第一の光反射コーティングを備え、前記第一のコーティングは前記第二の表面の前記局部的な変化に順応しその結果前記第一の光は前記局部的変化によって記録された第一の情報に従って前記第一のディスクを介して反射され、さらに前記第一のコーティングは再生能力を得るために十分な第一のコーティングの反射特性を保持しながら光硬化性材料が前記第一のコーティングを介して光硬化可能であるような第一のコーティング厚を有する請求項１記載の記録媒体。
【請求項３】
第一の情報はプログラム情報からなる請求項１記載の記録媒体。
【請求項４】
第一の情報はピットアートからなる請求項１記載の記録媒体。
【請求項５】
第一の情報は拡張ピットアートからなる請求項１記載の記録媒体。
【請求項６】
第一の情報は立体映像印刷からなる請求項１記載の記録媒体。
【請求項７】
第一の光反射コーティングがアルミニウムからなる請求項２記載の記録媒体。
【請求項８】
第二ディスクを第一ディスクに固定するための光硬化結合物質をさらに備える請求項７記載の記録媒体。
【請求項９】
０．６ｍｍの厚みを有する透明な第一のディスクを備え、前記第一のディスクは平坦な第一の表面と前記第一の表面の反対側にある第二の表面とを有し、前記第二の表面はこの第二の表面から前記第一の表面への距離の局部的変化によって記録された第一の情報を有し；且つ
０．７ｍｍの厚みを有する第二のディスクを備え、前記第二のディスクは互いに対向する平坦な第三と第四の表面を有し、前記第四の表面は前記第三の表面から第四の表面への距離の局部的な変化によって記録された第二の情報を有し、さらに前記第二のディスクは前記第一のディスクに重ね合わせて固定されその結果前記第四の表面が前記第二の表面に接面する情報記録媒体。
【請求項１０】
前記第二の表面上に前記第一のディスクの裏側へ通過した第一の光を反射するための第一の光反射コーティングを備え、前記第一のコーティングは前記第二の表面の前記局部的な変化に順応しその結果前記第一の光は前記局部的変化によって記録された第一の情報に従って前記第一のディスクを介して反射され、さらに前記第一のコーティングは再生能力を得るために十分な第一のコーティングの反射特性を保持しながら光硬化性材料が前記第一のコーティングを介して光硬化可能であるような第一の厚みを有し；且つ
前記第四の表面上に前記第二のディスクの裏側へ通過した第二の光を反射するための第二の光反射コーティングを備え、前記第二のコーティングは前記第四の表面の前記局部的な変化に順応しその結果前記第二の光は前記局部的変化によって記録された第二の情報に従って前記第二のディスクを介して反射され、前記第二のディスクは前記第一のディスクに重ね合わせて固定されその結果前記第四の表面が前記第二の表面に接面する請求項９記載の情報記録媒体。
【請求項１１】
前記第二のコーティングは再生能力を得るために十分な第二のコーティングの反射特性を保持しながら光硬化性材料が前記第二のコーティングを介して光硬化可能であるような第二のコーティング厚を有する請求項１０記載の記録媒体。
【請求項１２】
前記第一の情報がプログラム情報からなる請求項９記載の記録媒体。
【請求項１３】
第一の光反射コーティングがアルミニウムからなる請求項１０記載の記録媒体。
【請求項１４】
第二の光反射コーティングがアルミニウムからなる請求項１３記載の記録媒体。
【請求項１５】
前記第二ディスクを第一ディスクに固定する光硬化物質を備える請求項１４記載の記録媒体。
【請求項１６】
０．６ｍｍの厚みを有する透明な第一のディスクを形成し、前記第一のディスクは平坦な第一の表面と前記第一の表面の反対側にある第二の表面とを有し、前記第二の表面はこの第二の表面から前記第一の表面への距離の局部的変化によって記録された第一の情報を有し；
０．７ｍｍの厚みを有する第二のディスクを形成し、前記第二のディスクは互いに対向する平坦な第三と第四の表面を有し；且つ
前記第二のディスクを前記第一のディスクに重ね合わせて固定し、従って前記第四の表面が前記第二の表面に接面する情報記録媒体の製造方法。
【請求項１７】
０．６ｍｍの厚みを有する透明な第一のディスクを形成し、前記第一のディスクは平坦な第一の表面と前記第一の表面の反対側にある第二の表面とを有し、前記第二の表面はこの第二の表面から前記第一の表面への距離の局部的変化によって記録された第一の情報を有し；
０．７ｍｍの厚みを有する第二のディスクを形成し、前記第二のディスクは互いに対向する平坦な第三と第四の表面を有し、前記第四の表面はこの第四の表面から前記第三の表面への距離の局部的変化によって記録された第二の情報を有し；且つ
前記第二のディスクを前記第一のディスクに重ね合わせて固定し、従って前記第四の表面が前記第二の表面に接面する情報記録媒体の製造方法。
【発明の詳細な説明】
【０００１】
【産業上の利用分野】
この発明は光読み出し可能な情報記録ディスク状の情報記録媒体に係り、特に表面のディスクと裏面のディスクとを互いの裏側に積み重ね両面を形成するよう作成される媒体に関する。
【０００２】
【従来の技術】
光読み出し可能な情報記録ディスク状の情報記録媒体は、以下に示すように既知であり、例えばクラマーによる米国特許第５０６８８４６号がある。商業利用可能なコンパクトディスク（「ＣＤＳ」）と読み出しのみメモリコンパクトディスク（「ＣＤ−ＲＯＭ」）は、この一般的な型の記録媒体の例である。
【０００３】
更に最近にはデジタル多用途ディスク（「ＤＶＤ」）は、光読み出し情報技術が映画および他の似たようなリアルタイムの音声／映像プログラム（以下「プログラム情報」）をディスク上に記録するために用いられて実用化されている。プログラム情報の記憶容量を増加するために、情報記録ディスクは裏側と裏側を張り合わせた２枚のディスク（従来の音声用ＣＤＳに似たものが出現）から構成される（例えば、マークアルトの「２面光読み出し可能情報記録ディスク積層および製造方法」と題された米国特許第５７２９５３３号を参照すべきであり、これはここで参照として全体的に組み入れてある）。
【０００４】
比較的に長時間の音声／映像プログラムは従来の音声ＣＤサイズに適さない。情報記録ディスクの「裏面」（すなわち、「表面」または第一ディスクの裏に結合した第二面）は、度々音声／映像プログラム情報の「過剰分」（すなわち情報記録ディスクの表面に適しない情報である）が含まれる。
【０００５】
一つのプログラム情報面を有する情報記録ディスク（例えば、二つのディスクの積層内で表面のディスクのみがプログラム情報を含む情報記録ディスク）を形成する際に、実質的に平坦な第一の表面（すなわちディスクの回転する際にプラスチックディスクの表面上に配置されるトポグラフィカルな特徴を光源が識別できるほどに十分平坦である）を備える実質的に透明なプラスチックディスク（すなわちプラスチックディスクを通る周回移動の後、光線が検出可能な状態であるほど実質的に透明である）が提供される。第一の表面の反対側は、第一の表面から第二の表面の距離の局所的変化により記録されるプログラム情報を有する第二の面である。光反射コーティング（例えばアルミニウム）は、第二の表面上に蒸着（例えばスパッタ法で付着）させ、光反射コーティングは第二の表面の局所変化に順応させその結果、光は局所変化法により記録されたプログラム情報にしたがってディスクを通過して反射する。
【０００６】
一旦、表面プログラム情報記録ディスクが組み立てられると、一つのプログラム情報面を有する情報記録ディスクの形成は、表面ディスクへ裏面のプログラム情報を有しないディスク（例えば、空白のディスクまたは印刷、ラベルまたは他の装飾を伴うディスクのようなプログラム情報無しのディスクである）を結合することにより完成される。この型のプログラム情報を有しないディスクは通常光反射コーティングを含まず、その結果結合は裏面のプラスチックディスクを透過する光により硬化する光硬化結合物質を使用して結合が実施される。光は表面ディスクを透過できず、なぜならば光反射コーティングを含むからである。
【０００７】
二つのプログラム情報面を有するプログラム情報記録ディスク（具体的には、両方のディスクがプログラム情報を含む情報ディスク）が形成される際に、光反射コーティングは裏面ディスク上に蒸着されなければならず、その結果その上に記録されたプログラム情報は読み出されることが可能である。光反射コーティングは、“ピットアート”（先に組み入れたマークアルト「２面光読み出し可能情報記録ディスク積層および製造方法」と題された米国特許第５７２９５３３号参照）、“拡張ピットアート”（例えば、パレット等による「プラスチック情報ディスク上の印刷提供方法」、１９９６年９月１８日出願済み米国特許出願第０８／７１４３０２号を参照、ここで参照に組み入れてある）とすることもでき、または同様な映像情報が裏面ディスクに含まれる（ここで使用されるように、修正されない「情報」という語句はプログラム情報およびピットアート、拡張ピットアート、立体映像印刷、他のラベル／修飾を指している）。
【０００８】
情報記録ディスクが情報を片面または両面のいずれに有するかに関係なく、情報記録ディスクの光可読性（すなわち可動性）こそが、表側のディスクと裏側のディスクの相互の結合において情報記録ディスクを適度に平坦に作製するために重要である。典型的に、表側、裏側の両側のディスクが同じ射出成形機で形成された際、両ディスクは適度に平坦な情報記録ディスクを作製するために相互に順応する。しかしながら、成形機間のわずかな変化が原因で、それぞれ異なる成形機で形成された表側と裏側のディスクは、情報記録ディスクの光可読性を下げる波打ちや歪み（この歪みは「ポテトチップ」効果に起因している）が原因で、適度に平坦な情報記録ディスクを作製し相互に結合させることができない。
【０００９】
成形機の変化の効果を最小にする情報記録ディスクの組立方法が必要とされる。そのような方法は、光可読性を改善し実質的に平坦な情報記録ディスクを作製するように表側と裏側のディスクを相互に結合することを可能にする。
【００１０】
【発明が解決しようとする課題】
以上の視点より、本発明の目的は実質的に平坦な情報記録ディスクと組立方法の提供にある。
【００１１】
【課題を解決するための手段】
本発明のこれらおよびその他の目的は、第一のディスクと第二のディスクの提供により本発明の原理に従って解決される。第一のディスクは第一の実質的に平坦な表面を有し、第二の表面は第一の表面の反対側に存在する。第二の表面は、第一の表面から第二の表面の距離内の局所的な変化によって記録された第一の情報を有する。第一のディスクより厚みのある第二のディスクが提供される。第二のディスクは、互いに対向する実質的に平坦な第三および第四の表面を有する。第四の表面は、第三の表面から第四の表面の距離内の局所的な変化によって記録された第二の情報を有する。第二のディスクは第一のディスクに固定されており、その結果第四の表面は第二の表面に面している。
【００１２】
情報記録ディスクを形成中に、情報記録ディスクの第一のディスクは、全般的にクラマーによる米国特許第５０６８８４６号「反射光学記録媒体」で示されるように組み立てられる。この第一のディスクは、それ故既知の方法によりその上に記録される光可読プログラム情報を有する（具体的には、ディスクの第一と第二の表面間の距離内の局所変化が光反射コーティングで覆われ、その結果光は局所変化によって記録されたプログラム情報に従ってディスクを通過して背面で反射する）。情報記録ディスクの第二のディスクは、プログラム情報又はその他（具体的には、ピットアート、拡張ピットアートまたは立体映像印刷）を同様に含む。
【００１３】
この発明の他の特徴、構成、ならびに利点は、添付の図面を参照しながら以下に記述する好適な実施例の詳細な説明により明らかにされよう。
【００１４】
【実施例】
本発明が、情報記録ディスクの形成を如何に改善したかを理解するためには、従来の情報記録ディスクが如何に形成されているかを理解することが第一に必要である。この理解とともに、従来の情報記録ディスクの組立技術の問題点が明らかとなる。
【００１５】
図１は、第一のディスク２０（表側ディスク）に接着結合する第二のディスク３０（裏側ディスク）を含む従来の一プログラム情報面の情報記録ディスク１０を示す。図１は、これら２枚のディスクのうちの１枚（第一ディスク２０）がプログラム情報記録に必要な例を示す。第二のディスク３０は、印刷、ラベルとして使用されるかあるいは空白のままである。
【００１６】
第一のディスク２０は、実質的に滑らかな第一の表面２２ａと第一の表面２２ａから第二の表面２２ｂの距離内の局所変化２４によって記録されたプログラム情報を有する第二の表面２２ｂを含む。光反射コーティング２６は、第二の表面２２ｂの上に蒸着する。
【００１７】
従来の一つのプログラム情報面を有する情報記録ディスク１０を形成するために、第二のディスク３０は第一のディスク２０と結合する。第二のディスク３０は実質的に滑らかな第三の表面３２ａと第四の表面３２ｂを含み、第二の表面２２ｂと第四の表面３２ｂ間に配置された光硬化結合物質４０を伴う第一のディスク２０と結合する。
【００１８】
図１に示されるように、第一のディスク２０と第二のディスク３０は、それぞれａ、ｂの厚みを有するが、ほぼ同じである。例えば、情報記録ディスク１０をＤＶＤの実施例とすると、典型的にａとｂの値はほぼ０．６ｍｍである。従って、厚みの比ａ／ｂは、ほぼ１である。
【００１９】
図２は第一のディスク２０′（表側ディスク）と第二のディスク３０′（裏側ディスク）の互いに背と背を結合させることにより形成された二つのプログラム情報面を有する情報記録ディスク１０′を示す。図１の第一のディスク２０についてと同様、図２の第一ディスク２０′は、実質的に滑らかな第一の表面２２ａ′と第一の表面２２ａ′から第二の表面２２ｂ′の距離内の局所変化２４′により記録されたプログラム情報を有する第二の表面２２ｂ′を含む。光反射コーティング２６′は第二の表面２２ｂ′上に蒸着する。
【００２０】
従来の二つのプログラム情報面を有する情報記録ディスク１０′を形成するために、第二のディスク３０′は第一のディスク２０′と結合され、第二のディスク３０′は実質的に滑らかな第三の表面３２ａ′と第四の表面３２ｂ′を含む。図１の第四の表面３２ｂと異なり、図２の第四の表面３２ｂ′は、第三の表面３２ａ′（第二のディスク３０′はプログラム情報記録ディスクであるとして）から第四の表面３２ｂ′の距離内の局所変化３４′によりその上に記録されるプログラム情報を有する。加えて光反射コーティング３６′は、第二の表面３２ｂ′上に蒸着する。
【００２１】
図２に示されるように、第一のディスク２０′と第二のディスク３０′はそれぞれｃとｄの厚みを有し、それらはほぼ同一である。具体的には、情報記録ディスク１０の実施例ＤＶＤとしては、典型的にｃとｄの値はほぼ０．６ｍｍである。従って厚みの比ｃ／ｄは、ほぼ１である。
【００２２】
図３に示される通り、本発明に従って作製され、図示される一情報面情報記録ディスク１０は、互いに裏と裏を結合する第一のディスク２０（表側ディスク）と第二のディスク３０（裏側ディスク）を有する。第一のディスク２０と第二のディスク３０はそれぞれａ′とｂ′の厚みを有し、ｂ′はａ′よりわずかに大きい。具体的には、情報記録ディスク１０の実施例ＤＶＤとして、ａ′ｂ′の好適な値はそれぞれほぼ０．６ｍｍと０．７ｍｍである。従って厚みの比ａ′／ｂ′は、１以下である。図３の第一と第二のディスク２０と３０は、図１の実施例の厚みの比ａ／ｂより図３の実施例の厚みの比ａ′／ｂ′が小さいことを除けば、図１の第一と第二のディスク２０と３０と同一である。
【００２３】
図４に示すように、本発明に従って作製され、図示される二情報面情報記録ディスク１０″は互いに裏と裏を結合する第一のディスク２０″（表側ディスク）と、第二のディスク３０″（裏側ディスク）を有する。図４に示す通りに第一のディスク２０′と第二のディスク３０′はそれぞれ厚みｃ′とｄ′を有し、ｄ′はｃ′よりわずかに大きい。具体的には、情報記録ディスク１０の実施例ＤＶＤとして、ｃ′とｄ′の好適な値はほぼそれぞれ０．６ｍｍと０．７ｍｍである。従って、厚みの比ｃ′／ｄ′は１以下である。第一と第二のディスク２０″と３０″は、図２の実施例の厚みの比ｃ／ｂより図４の実施例の厚みの比ｃ′／ｄ′が小さいことを除けば、図２の第一と第二のディスク２０′と３０′と同一である。
【００２４】
図３と図４に示される実施例の第二のディスク（裏側ディスク）の増加した厚みは、異なる成形機で形成される二つのディスクの結合にしばしば関係する小皺と歪みの問題を十分に見積もってある。
【００２５】
前述の記載は本発明の原理の実例に過ぎず、本発明の範囲と趣旨から逸脱することなく当業者においては種々の設計変更をなし得ることが理解されよう。具体的には、前述の寸法と物質は好適であるが、必要に応じて他の寸法と材質を使用し得る。
【図面の簡単な説明】
【図１】従来の一つのプログラム情報面を有する情報記録ディスクの断面図である。
【図２】従来の二つのプログラム情報面を有する情報記録ディスクの断面図である。
【図３】本発明に従って作製された一つのプログラム情報面を有する情報記録ディスクの断面図である。
【図４】本発明に従って作製された二つのプログラム情報面を有する情報記録ディスクの断面図である。
【符号の説明】
１０  一つのプログラム情報面を有する情報記録ディスク
１０″  二つの情報面を有する情報記録ディスク
２０，２０′，２０″  第一のディスク
３０，３０′，３０″  第二のディスク
２２ａ，２２ａ′  第一の表面
２２ｂ，２２ｂ′   第二の表面
２４，２４′，３４′  局所変化
２６，２６′  光反射コーティング
３２ａ，３２ａ′第三の表面
３２ｂ，３２ｂ′第四の表面
４０  光硬化結合物質
３６′  光反射コーティング
ａ  第一のディスク２０の厚み
ｂ  第二のディスク３０の厚み
ｃ  第一のディスク２０′の厚み
ｄ  第二のディスク３０′ の厚み
ａ′  第一のディスク２０の厚み
ｂ′  第二のディスク３０の厚み
ｃ′  第一のディスク２０′の厚み
ｄ′  第二のディスク３０′の厚み
【図１】
0004160697.tif 000002
【図２】
0004160697.tif 000003
【図３】
0004160697.tif 000004
【図４】
0004160697.tif 000005